(57)【要約】【課題】  受信した放送データに含まれるエラーの補完をできるだけ簡単な手法で実現できるようにする。【解決手段】  放送局から送信された放送データを受信する放送受信部１１と、無線通信部を備えた他の放送受信機との間でデータの送信、受信を行なう無線通信部１７と、放送受信部１１で受信した放送データ、前記他の放送受信機から送信され無線通信部１７で受信した放送データをそれぞれ蓄積する受信データ蓄積部１６と、放送受信部１１、無線通信部１７を制御する制御部１２を含む。制御部１２は、放送受信部１１で受信した放送データを無線通信部１７から送信させると共に、自放送受信機で受信した自機受信放送データと、他の放送受信機から送信され無線通信部１７で受信した他機送信放送データとを比較して自機受信放送データにおけるエラー部分の有無を検出し、エラー部分を検出した場合には前記他機送信放送データを利用して該エラー部分を補完する。【選択図】      図２
2010074321.tif 000002
【特許請求の範囲】
【請求項１】
放送局から送信された放送データを受信する放送受信部と、
無線通信部を備えた他の放送受信機との間でデータの送信、受信を行なう無線通信部と、
前記放送受信部で受信した放送データ、前記他の放送受信機から送信され前記無線通信部で受信した放送データをそれぞれ蓄積するデータ蓄積部と、
前記放送受信部、前記無線通信部を制御する制御部を含み、
前記制御部は、前記放送受信部で受信した放送データを前記無線通信部から送信させると共に、自放送受信機で受信した自機受信放送データと、前記他の放送受信機から送信され前記無線通信部で受信した他機送信放送データとを比較して自機受信放送データにおけるエラー部分の有無を検出し、エラー部分を検出した場合には前記他機送信放送データを利用して該エラー部分を補完することを特徴とする放送受信機。
【請求項２】
前記他の放送受信機として、固定された１台の放送受信機との間で前記エラー部分の補完のためのデータの送信、受信を行なうことを特徴とする請求項１に記載の放送受信機。
【請求項３】
前記無線通信部により複数の前記他の放送受信機からの放送データを受信し、受信した複数の放送データの中から受信状態のより良い放送データ、あるいは、無線通信状態の良い放送受信機からの放送データを補完のために利用することを特徴とする請求項１に記載の放送受信機。
【請求項４】
前記制御部は、前記放送受信部で受信した放送データを前記無線通信部から送信させる制御動作に代えて、前記エラー部分を補完する制御動作により得られた補完された放送データを前記無線通信部から送信させる制御動作を実行することを特徴とする請求項１又は３に記載の放送受信機。
【請求項５】
放送局から送信された放送データを受信する複数の放送受信機を含み、
各放送受信機は、
前記放送データを受信する放送受信部と、
前記複数の放送受信機における少なくとも１台の他の放送受信機との間でデータの送信、受信を行なう無線通信部と、
前記放送受信部で受信した放送データ、前記少なくとも１台の他の放送受信機から送信され前記無線通信部で受信した放送データをそれぞれ蓄積するデータ蓄積部と、
前記放送受信部、前記無線通信部を制御する制御部を含み、
前記制御部は、前記放送受信部で受信した放送データを前記無線通信部から送信させると共に、自放送受信機で受信した自機受信放送データと、前記少なくとも１台の他の放送受信機から送信され前記無線通信部で受信した他機送信放送データとを比較して自機受信放送データにおけるエラー部分の有無を検出し、エラー部分を検出した場合には前記他機送信放送データを利用して該エラー部分を補完することを特徴とする放送受信システム。
【請求項６】
前記複数の放送受信機における少なくとも１台の放送受信機は、前記少なくとも１台の他の放送受信機として、固定された１台の放送受信機との間で前記エラー部分の補完のためのデータの送信、受信を行なうことを特徴とする請求項５に記載の放送受信システム。
【請求項７】
前記複数の放送受信機における少なくとも１台の放送受信機は、前記無線通信部により複数の前記他の放送受信機からの放送データを受信し、受信した複数の放送データの中から受信状態のより良い放送データ、あるいは、無線通信状態の良い放送受信機からの放送データを補完のために利用することを特徴とする請求項５に記載の放送受信システム。
【請求項８】
前記複数の放送受信機における少なくとも１台の放送受信機の前記制御部は、前記放送受信部で受信した放送データを前記無線通信部から送信させる制御動作に代えて、前記エラー部分を補完する制御動作により得られた補完された放送データを前記無線通信部から送信させる制御動作を実行することを特徴とする請求項５又は７に記載の放送受信システム。
【請求項９】
放送局から送信された放送データを複数の放送受信機で受信する放送受信方法において、
各放送受信機が、前記放送局からの放送データを受信する一方、前記複数の放送受信機における少なくとも１台の他の放送受信機との間でデータの送信、受信を行い、
各放送受信機はまた、受信した前記放送局からの放送データ、前記少なくとも１台の他の放送受信機から送信された放送データを受信してそれぞれデータ蓄積部に蓄積し、
各放送受信機は更に、前記受信した前記放送局からの放送データを送信すると共に、自放送受信機で受信し前記データ蓄積部に蓄積した自機受信放送データと、前記少なくとも１台の他の放送受信機から送信された放送データを受信し前記データ蓄積部に蓄積した他機送信放送データとを比較して自機受信放送データにおけるエラー部分の有無を検出し、エラー部分を検出した場合には前記他機送信放送データを利用して該エラー部分を補完することを特徴とする放送受信方法。
【請求項１０】
前記複数の放送受信機における少なくとも１台の放送受信機は、前記少なくとも１台の他の放送受信機として、固定された１台の放送受信機との間で前記エラー部分の補完のためのデータの送信、受信を行なうことを特徴とする請求項９に記載の放送受信方法。
【請求項１１】
前記複数の放送受信機における少なくとも１台の放送受信機は、複数の前記他の放送受信機からの放送データを受信し、受信した複数の放送データの中から受信状態のより良い放送データ、あるいは、無線通信状態の良い放送受信機からの放送データを補完のために利用することを特徴とする請求項９に記載の放送受信方法。
【請求項１２】
前記複数の放送受信機における少なくとも１台の放送受信機は、前記受信した前記放送局からの放送データを送信する動作に代えて、前記エラー部分を補完する動作により得られた補完された放送データを送信する動作を実行することを特徴とする請求項９又は１１に記載の放送受信方法。
【請求項１３】
主局から送信されたデータを受信する受信部と、
無線通信部を備えた他のデータ受信機との間でデータの送信、受信を行なう無線通信部と、
前記受信部で受信したデータ、前記他のデータ受信機から送信され前記無線通信部で受信したデータをそれぞれ蓄積するデータ蓄積部と、
前記受信部、前記無線通信部を制御する制御部を含み、
前記制御部は、前記受信部で受信したデータを前記無線通信部から送信させると共に、自データ受信機で受信した自機受信データと、前記他のデータ受信機から送信され前記無線通信部で受信した他機送信データとを比較して自機受信データにおけるエラー部分の有無を検出し、エラー部分を検出した場合には前記他機送信データを利用して該エラー部分を補完することを特徴とするデータ受信機。
【請求項１４】
前記他のデータ受信機として、固定された１台のデータ受信機との間で前記エラー部分の補完のためのデータの送信、受信を行なうことを特徴とする請求項１３に記載のデータ受信機。
【請求項１５】
前記無線通信部により複数の前記他のデータ受信機からのデータを受信し、受信した複数種類のデータの中から受信状態のより良いデータ、あるいは、無線通信状態の良いデータ受信機からのデータを補完のために利用することを特徴とする請求項１３に記載のデータ受信機。
【請求項１６】
前記制御部は、前記受信部で受信したデータを前記無線通信部から送信させる制御動作に代えて、前記エラー部分を補完する制御動作により得られた補完されたデータを前記無線通信部から送信させる制御動作を実行することを特徴とする請求項１３又は１５に記載のデータ受信機。
【請求項１７】
主局から送信されたデータを受信する複数のデータ受信機を含み、
各データ受信機は、
前記主局から送信されたデータを受信する受信部と、
前記複数のデータ受信機における少なくとも１台の他のデータ受信機との間でデータの送信、受信を行なう無線通信部と、
前記受信部で受信したデータ、前記少なくとも１台の他のデータ受信機から送信され前記無線通信部で受信したデータをそれぞれ蓄積するデータ蓄積部と、
前記受信部、前記無線通信部を制御する制御部を含み、
前記制御部は、前記受信部で受信したデータを前記無線通信部から送信させると共に、自データ受信機で受信した自機受信データと、前記少なくとも１台の他のデータ受信機から送信され前記無線通信部で受信した他機送信データとを比較して自機受信データにおけるエラー部分の有無を検出し、エラー部分を検出した場合には前記他機送信データを利用して該エラー部分を補完することを特徴とするデータ受信システム。
【請求項１８】
前記複数のデータ受信機における少なくとも１台のデータ受信機は、前記少なくとも１台の他のデータ受信機として、固定された１台のデータ受信機との間で前記エラー部分の補完のためのデータの送信、受信を行なうことを特徴とする請求項１７に記載のデータ受信システム。
【請求項１９】
前記複数のデータ受信機における少なくとも１台のデータ受信機は、前記無線通信部により複数の前記他のデータ受信機からのデータを受信し、受信した複数のデータの中から受信状態のより良いデータ、あるいは、無線通信状態の良いデータ受信機からのデータを補完のために利用することを特徴とする請求項１７に記載のデータ受信システム。
【請求項２０】
前記複数のデータ受信機における少なくとも１台のデータ受信機の前記制御部は、前記受信部で受信したデータを前記無線通信部から送信させる制御動作に代えて、前記エラー部分を補完する制御動作により得られた補完されたデータを前記無線通信部から送信させる制御動作を実行することを特徴とする請求項１７又は１９に記載のデータ受信システム。
【発明の詳細な説明】
【技術分野】
【０００１】
本発明はデータ受信機、データ受信システムに関し、例えば放送データの受信に適した移動可能な放送受信機、これを用いた放送受信システム、放送受信方法に関する。
【背景技術】
【０００２】
移動可能なデータ受信機、例えば放送波（放送データ）を受信する移動可能な放送受信機では、以下の理由により受信環境が不安定である。すなわち、この種の放送受信機は放送局からの放送波を移動しながら受信するために周辺の放送波の環境が刻々と変化する。また、この種の放送受信機は固定放送受信機のようにアンテナを最適な向きに固定し続けることが困難である。受信環境が不安定であると、受信率が悪化し、受信品質の低下を招く。
【０００３】
不安定な受信環境に起因する受信品質の低下を改善するために、従来、放送受信機に複数のアンテナを備え、これら複数のアンテナで放送波を受信し、受信した複数の放送波の合成、あるいは、受信した複数の放送波の中から受信状態の良い方の放送波を選択して利用する方法（第１の方法）が提案されている。
【０００４】
また、特許文献１には、デジタル放送システムとして、放送データを受信して記録し、記録した放送データについてエラー有無の判定を行い、エラーを検出した場合にはエラーとなった箇所の放送データを番組サーバから取り寄せて補完する方法（第２の方法）が開示されている。
【０００５】
更に、特許文献２には、デジタル放送信号の録画データ中の誤りを補完することができるデジタル放送受信機システムとして、以下のような方法（第３の方法）が開示されている。２台の受信機が、それぞれ、受信したデジタル放送信号を録画データとして記録する録画データ蓄積部を備える。各受信機において、エラー情報記録部には、録画データ中の誤り部分（欠損データ）を特定するエラー情報が格納されている。各受信機における録画データの誤り部分は各エラー情報に基づいて特定され、誤り部分に対応する正常なデータを受信機間で互いに送受信することにより、各録画データの誤り部分が補完される。
【０００６】
【特許文献１】特開２００１−２９８７２５号公報
【特許文献２】特開２００７−４３４４６号公報
【発明の開示】
【発明が解決しようとする課題】
【０００７】
上記第１の方法では、一般に、放送受信機が小型であるほど、アンテナ間の距離が小さくなり、受信した放送波間の差分が小さくなるため、受信品質の改善効果が小さくなる。
【０００８】
一方、上記第２の方法の場合には、デジタル放送システム内に正しい放送データを持つ番組サーバを設置し、運用する必要がある。
【０００９】
上記第３の方法では、一方の受信機で記録した録画データにエラーがある場合、他方の受信機にエラー情報を送って補完に必要なデータを要求する必要がある。
【００１０】
本発明の課題は、受信したデータに含まれるエラーの補完をできるだけ簡単な手法で実現できるようにすることにある。
【課題を解決するための手段】
【００１１】
本発明の第１の態様によれば、放送局から送信された放送データを受信する放送受信部と、無線通信部を備えた他の放送受信機との間でデータの送信、受信を行なう無線通信部と、前記放送受信部で受信した放送データ、前記他の放送受信機から送信され前記無線通信部で受信した放送データをそれぞれ蓄積するデータ蓄積部と、前記放送受信部、前記無線通信部を制御する制御部を含み、前記制御部は、前記放送受信部で受信した放送データを前記無線通信部から送信させると共に、自放送受信機で受信した自機受信放送データと、前記他の放送受信機から送信され前記無線通信部で受信した他機送信放送データとを比較して自機受信放送データにおけるエラー部分の有無を検出し、エラー部分を検出した場合には前記他機送信放送データを利用して該エラー部分を補完することを特徴とする放送受信機が提供される。
【００１２】
本発明の第２の態様によれば、放送局から送信された放送データを受信する複数の放送受信機を含み、各放送受信機は、前記放送データを受信する放送受信部と、前記複数の放送受信機における少なくとも１台の他の放送受信機との間でデータの送信、受信を行なう無線通信部と、前記放送受信部で受信した放送データ、前記少なくとも１台の他の放送受信機から送信され前記無線通信部で受信した放送データをそれぞれ蓄積するデータ蓄積部と、前記放送受信部、前記無線通信部を制御する制御部を含み、前記制御部は、前記放送受信部で受信した放送データを前記無線通信部から送信させると共に、自放送受信機で受信した自機受信放送データと、前記少なくとも１台の他の放送受信機から送信され前記無線通信部で受信した他機送信放送データとを比較して自機受信放送データにおけるエラー部分の有無を検出し、エラー部分を検出した場合には前記他機送信放送データを利用して該エラー部分を補完することを特徴とする放送受信システムが提供される。
【００１３】
なお、前記複数の放送受信機における少なくとも１台の放送受信機は、前記少なくとも１台の他の放送受信機として、固定された１台の放送受信機との間で前記エラー部分の補完のためのデータの送信、受信を行なうようにしても良い。あるいは、前記複数の放送受信機における少なくとも１台の放送受信機は、前記無線通信部により複数の前記他の放送受信機からの放送データを受信し、受信した複数の放送データの中から受信状態のより良い放送データ、あるいは、無線通信状態の良い放送受信機からの放送データを補完のために利用するようにしても良い。また、前記複数の放送受信機における少なくとも１台の放送受信機の前記制御部は、前記放送受信部で受信した放送データを前記無線通信部から送信させる制御動作に代えて、前記エラー部分を補完する制御動作により得られた補完された放送データを前記無線通信部から送信させる制御動作を実行するようにしても良い。
【００１４】
本発明の第３の態様によれば、放送局から送信された放送データを複数の放送受信機で受信する放送受信方法において、各放送受信機が、前記放送局からの放送データを受信する一方、前記複数の放送受信機における少なくとも１台の他の放送受信機との間でデータの送信、受信を行い、各放送受信機はまた、受信した前記放送局からの放送データ、前記少なくとも１台の他の放送受信機から送信された放送データを受信してそれぞれデータ蓄積部に蓄積し、各放送受信機は更に、前記受信した前記放送局からの放送データを送信すると共に、自放送受信機で受信し前記データ蓄積部に蓄積した自機受信放送データと、前記少なくとも１台の他の放送受信機から送信された放送データを受信し前記データ蓄積部に蓄積した他機送信放送データとを比較して自機受信放送データにおけるエラー部分の有無を検出し、エラー部分を検出した場合には前記他機送信放送データを利用して該エラー部分を補完することを特徴とする放送受信方法が提供される。
【００１５】
本発明の第４の態様によれば、主局から送信されたデータを受信する受信部と、無線通信部を備えた他のデータ受信機との間でデータの送信、受信を行なう無線通信部と、前記受信部で受信したデータ、前記他のデータ受信機から送信され前記無線通信部で受信したデータをそれぞれ蓄積するデータ蓄積部と、前記受信部、前記無線通信部を制御する制御部を含み、前記制御部は、前記受信部で受信したデータを前記無線通信部から送信させると共に、自データ受信機で受信した自機受信データと、前記他のデータ受信機から送信され前記無線通信部で受信した他機送信データとを比較して自機受信データにおけるエラー部分の有無を検出し、エラー部分を検出した場合には前記他機送信データを利用して該エラー部分を補完することを特徴とするデータ受信機が提供される。
【００１６】
上記のデータ受信機においては、前記他のデータ受信機として、固定された１台のデータ受信機との間で前記エラー部分の補完のためのデータの送信、受信を行なうようにしても良いし、前記無線通信部により複数の前記他のデータ受信機からのデータを受信し、受信した複数種類のデータの中から受信状態のより良いデータ、あるいは、無線通信状態の良いデータ受信機からのデータを補完のために利用するようにしても良い。また、上記データ受信機における前記制御部は、前記受信部で受信したデータを前記無線通信部から送信させる制御動作に代えて、前記エラー部分を補完する制御動作により得られた補完されたデータを前記無線通信部から送信させる制御動作を実行するようにしても良い。
【００１７】
本発明の第５の態様によれば、主局から送信されたデータを受信する複数のデータ受信機を含み、各データ受信機は、前記主局から送信されたデータを受信する受信部と、前記複数のデータ受信機における少なくとも１台の他のデータ受信機との間でデータの送信、受信を行なう無線通信部と、前記受信部で受信したデータ、前記少なくとも１台の他のデータ受信機から送信され前記無線通信部で受信したデータをそれぞれ蓄積するデータ蓄積部と、前記受信部、前記無線通信部を制御する制御部を含み、前記制御部は、前記受信部で受信したデータを前記無線通信部から送信させると共に、自データ受信機で受信した自機受信データと、前記少なくとも１台の他のデータ受信機から送信され前記無線通信部で受信した他機送信データとを比較して自機受信データにおけるエラー部分の有無を検出し、エラー部分を検出した場合には前記他機送信データを利用して該エラー部分を補完することを特徴とするデータ受信システムが提供される。
【００１８】
本データ受信システムにおいても、前記複数のデータ受信機における少なくとも１台のデータ受信機は、前記少なくとも１台の他のデータ受信機として、固定された１台のデータ受信機との間で前記エラー部分の補完のためのデータの送信、受信を行なうようにしても良いし、前記複数のデータ受信機における少なくとも１台のデータ受信機は、前記無線通信部により複数の前記他のデータ受信機からのデータを受信し、受信した複数のデータの中から受信状態のより良いデータ、あるいは、無線通信状態の良いデータ受信機からのデータを補完のために利用するようにしても良い。また、前記複数のデータ受信機における少なくとも１台のデータ受信機の前記制御部は、前記受信部で受信したデータを前記無線通信部から送信させる制御動作に代えて、前記エラー部分を補完する制御動作により得られた補完されたデータを前記無線通信部から送信させる制御動作を実行するようにしても良い。
【発明の効果】
【００１９】
本発明の放送受信機によれば、放送局から送信された放送データを放送受信部で受信して得た放送データを、同じ構成を持つ他の放送受信機が受信しかつ無線通信部から送信された放送データを用いて補完することで、放送受信部で受信した放送データにエラーがあっても、他の放送受信機との間でエラー情報のやりとりなどを行なわずにエラー部分の補完を行なって放送データの受信率を高めることができ、受信品質を高めることができる。
【００２０】
これは、データ受信機の場合でも同様である。すなわち、主局から送信されたデータを受信部で受信して得たデータを、同じ構成を持つ他のデータ受信機が受信しかつ無線通信部から送信されたデータを用いて補完することで、受信部で受信したデータにエラーがあっても、他のデータ受信機との間でエラー情報のやりとりなどを行なわずにエラー部分の補完を行なってデータの受信率を高めることができ、受信品質を高めることができる。
【発明を実施するための最良の形態】
【００２１】
図１は本発明を放送受信機に適用した場合の構成例を示すブロック図である。
【００２２】
本例における放送受信機１０は、放送受信部１１、制御部１２に加えて無線通信部１７を備える。放送受信部１１は、放送局からの放送データ（放送波あるいは放送信号）を受信する部分で、制御部１２によって指定されたチャンネルに該当する周波数の放送データを受信し、復調する。制御部１２は、受信制御、受信データ（映像、音声など）のデコード、表示制御など、放送受信機１０における制御処理全般を行う。放送受信部１１から出力された受信データは、制御部１２経由で受信データ蓄積部１６に取り込まれた後、制御部１２にて映像、音声などへデコードされ、映像は表示部１４で表示、音声は音声提示部１５へ提示される。キー入力部１３は、放送受信に関して言えば、チャンネル設定など、ユーザからの放送受信に関する指示を受け付ける部分であり、入力された情報は制御部１２へ入力され、制御部１２による受信制御、表示制御に利用される。無線通信部１７は、本放送受信機における無線通信部と同様の無線通信部を具備する他の放送受信機と無線通信を行う。
【００２３】
本発明による放送受信機を用いて実施される放送受信方法における受信データの流れを図２に示す。
【００２４】
本発明による放送受信方法では、図１で説明した構成を持つ少なくとも２台の放送受信機１０を使用する。図２は２台の例であり、それぞれ放送受信機Ａ、放送受信機Ｂとする。
【００２５】
放送受信機Ａ、放送受信機Ｂでは、それぞれ、放送受信部１１で放送局からの放送データを受信し、制御部１２経由で受信データ蓄積部１６に一時蓄積する。また、放送受信部１１で受信した放送データを制御部１２経由で無線通信部１７から送信する。これと同時に、無線通信部１７は、別の放送受信機が受信して無線送信している放送データを受信し、制御部１２経由で受信データ蓄積部１６に蓄積する。
【００２６】
以下では、放送受信機Ａの場合について説明する。制御部１２は、受信データ蓄積部１６から、自放送受信機（つまり、放送受信機Ａ）で受信した放送データ（以下、自機受信放送データと呼ぶことがある）と、他の放送受信機（つまり、放送受信機Ｂ）で受信されて無線送信され無線通信部１７で受信した放送データ（以下、他機送信放送データと呼ぶことがある）を読み出して比較し、自機受信放送データに足りない部分、あるいは、エラーデータとなっている部分（以下、エラー部分と総称する）があるかどうかを判別する。制御部１２は、自機受信放送データにエラー部分が存在する場合には、自機受信放送データのエラー部分を、他機送信放送データを利用して補完する。制御部１２は、このようにして補完した放送データをデコードし、表示部１４により映像を表示し、音声提示部１５で音声を提示する。
【００２７】
以上のような構成、動作により、他の放送受信機が受信し無線送信した放送データ、つまり他機送信放送データを利用できるようにしたので、自放送受信機で受信した放送データ、つまり自機受信放送データにエラーがある場合でも、他の放送受信機との間でエラー情報のやりとりなどを行なわなくてもエラー部分の補完を行なって放送データの受信率を高めることができ、受信品質を高めることができる。
【００２８】
上記説明は、放送受信機２台、つまり１対１で相互に放送データをやり取りする例であるが、１対１である必要はない。３台以上の場合、ある放送受信機の無線通信部から送信する放送データは、送信先の放送受信機（無線通信部）を固定にしても良いが、どの放送受信機（無線通信部）でも受信できる形でも良い。言い換えれば、無線通信部で受信する放送データは、固定された他の１つの放送受信機の無線通信部から送信された放送データに限る必要はなく、複数の放送受信機の各無線通信部から送信された放送データを受信しても良い。
【００２９】
以上の例を図で表すと、図３に示すようになる。図３は、放送局ＢＢＳからの放送データを４台の放送受信機Ａ〜Ｄで受信する場合の例を示す。放送受信機Ｂは放送受信機Ａからの放送データのみを受信して利用し、放送受信機Ｄは放送受信機Ｂからの放送データのみを受信して利用する。つまり、送信先の放送受信機が固定である。一方、放送受信機Ｃは、自機を除く放送受信機Ａ、Ｂ、Ｄのうちの少なくとも１つ、ここでは放送受信機Ａ、Ｂ、Ｄからの放送データを受信する。
【００３０】
なお、複数の放送受信機の無線通信部から送信されている複数の放送データについては、複数の放送受信機からのすべての放送データを利用しても良いし、複数の放送受信機からの複数の放送データのうちの受信状態のより良い放送データ、あるいは、無線通信状態の良い放送受信機からの放送データを利用してもよい。また、一度放送データを選択した後に受信状態や通信状態が変わった場合には、他の放送データを選択し直してもよい。
【００３１】
上記の放送データの選択は、各放送受信機から、無線通信部を通して送信する放送データの中に、受信している放送の情報（チャンネル情報など）や放送受信状況の情報（ＢＥＲ、Ｃ／Ｎなど）を付加して無線送信し、受信した放送データからこれらの情報を抽出することで行なわれる。
【００３２】
以上の点は、後述するデータ受信機の場合も同様である。
【００３３】
一方、図３に示す複数の放送受信機が、例えば無線ＬＡＮのような構成を取る場合、どの放送受信機の無線通信部から送信されている放送データを利用するかについては、１つ以上の放送受信機を固定的に指定したうえで、それらの中で同じ放送データを受信している放送受信機を選ぶ方法と、周囲の放送受信機の中から、同じ放送を受信している放送受信機を選ぶ方法がある。そして、前述したように、同じ放送を受信している放送受信機が複数存在する場合には、複数の放送受信機からのすべての放送データを利用しても良いし、複数の放送受信機からの複数の放送データのうちの受信状態のより良い放送データ、あるいは、無線通信状態の良い放送受信機からの放送データを利用してもよい。上記の放送受信機の選択は、各放送受信機から、無線通信部を通して送信する放送データの中に、放送受信機のＩＤ情報に加えて受信している放送の情報（チャンネル情報など）や放送受信状況の情報（ＢＥＲ、Ｃ／Ｎなど）を付加して無線送信し、受信した放送データからこれらの情報を抽出することで行なわれる。勿論、一度放送受信機を選択した後に受信状態や通信状態が変わった場合には、他の放送受信機を選択し直してもよい。
【００３４】
なお、図４に示すように、放送受信部で受信した放送データをそのまますぐに制御部１２経由で無線通信部１７から送信するのではなく、無線通信部１７で受信した他機送信放送データを用いて補完した結果得られた、補完された放送データを無線通信部１７から送信するようにしても良い。
【００３５】
また、図３で説明したように、放送局からの放送データを３台以上の放送受信機で受信する場合、少なくとも１台の放送受信機は、図５に示すように、無線通信部１７を通した放送データの送信を行なわずに、無線通信部１７を通して受信した他機送信放送データを利用した補完動作を行うものであっても良い。あるいは、少なくとも１台の放送受信機は、図６に示すように、他機送信放送データを利用した補完動作を行わずに、放送受信部１１を通して受信した放送データを制御部１２経由で無線通信部１７から送信する動作を行うものであっても良い。
【００３６】
以上、本発明を放送受信機に適用した場合について説明したが、本発明は放送受信機に限らず、データ受信機全般に適用可能である。この場合、図３で言えば、放送受信機Ａ〜Ｄがデータ受信機となり、放送局ＢＢＳが各データ受信機にデータを送信する主局となる。また、各データ受信機の構成、機能は、図１で言えば、放送受信部１１が主局からのデータ受信部となり、データ受信部における選局制御を必要としない点を除いて、図１、図２、図４〜図６で説明した放送受信機と同じである。
【００３７】
本発明はまた、アナログ、デジタルのいずれでも適用可能である。
【図面の簡単な説明】
【００３８】
【図１】図１は、本発明を放送受信機に適用した場合の構成例を示すブロック図である。
【図２】図２は、図１に示された放送受信機２台で放送データの補完を行なう場合の実施形態の動作を信号の流れと共に説明するための図である。
【図３】図３は、図１に示された放送受信機３台以上で放送データの補完を行なう場合の動作を説明するための図である。
【図４】図４は、図１に示された放送受信機で無線通信部から放送データを送信する場合の他の形態の動作を説明するための図である。
【図５】図５は、図１に示された放送受信機の動作形態を説明するための図である。
【図６】図６は、図１に示された放送受信機の他の動作形態を説明するための図である。
【符号の説明】
【００３９】
１０    放送受信機
１１    放送受信部
１２    制御部
１３    キー入力部
１４    表示部
１５    音声提示部
１６    受信データ蓄積部
１７    無線通信部
【図１】
2010074321.tif 000003
【図２】
2010074321.tif 000004
【図３】
2010074321.tif 000005
【図４】
2010074321.tif 000006
【図５】
2010074321.tif 000007
【図６】
2010074321.tif 000008